【手続補正書】
【提出日】平成18年6月12日(2006.6.12)
【手続補正１】
【補正対象書類名】明細書
【補正対象項目名】特許請求の範囲
【補正方法】変更
【補正の内容】
【特許請求の範囲】
【請求項１】  コンテンツ情報のパックと共に制御情報のパックが単一のストリームで入力される情報処理装置であって、
前記ストリーム中の特定のパターンにより前記制御情報のパックを判別する手段を備え、
前記ストリームをそのままメインメモリに記憶させると共に、
前記制御情報のパックが判別された際の前記メインメモリ中の記憶位置を特定する値を検出して保持する手段を設ける
ことを特徴とする情報処理装置。
【請求項２】  請求項１記載の情報処理装置において、
前記メインメモリ中の記憶位置を特定する値を検出して保持する手段は、前記入力されるストリームのパックの数をカウントする手段と、前記パックカウント値を保持するバッファとを有する
ことを特徴とする情報処理装置。
【請求項３】  請求項２記載の情報処理装置において、
前記メインメモリ中の記憶位置のアドレスを前記バッファに保持されたパックカウント値からの演算により算出する
ことを特徴とする情報処理装置。
【請求項４】  請求項１記載の情報処理装置において、
前記ストリーム中の特定のパターンにより前記制御情報のパックを判別する手段は、前記ストリーム中の制御情報のパックに設けられるｓｙｓｔｅｍ  ｈｅａｄｅｒ  ｓｔａｒｔ  ｃｏｄｅ、ｐａｃｋｅｔ  ｓｔａｒｔ  ｃｏｄｅ  ｐｒｅｆｉｘ、ｓｔｒｅａｍ  ｉｄ、ｓｕｂ  ｓｔｒｅａｍ  ｉｄの全ての値を検出する手段を含む
ことを特徴とする情報処理装置。
【請求項５】  コンテンツ情報のパックと共に制御情報のパックが単一のストリームで入力される情報処理装置における情報処理方法であって、
前記ストリーム中の特定のパターンにより前記制御情報のパックを判別し、
前記ストリームをそのままメインメモリに記憶させると共に、
前記制御情報のパックが判別された際の前記メインメモリ中の記憶位置を特定する値を検出して保持する
ことを特徴とする情報処理方法。
【請求項６】  コンテンツ情報のパックと共に制御情報のパックが単一のストリームで記録された記録媒体を再生する再生手段を有する再生装置であって、
前記ストリーム中の特定のパターンにより前記制御情報のパックを判別する手段を備え、
前記ストリームをそのままメインメモリに記憶させると共に、
前記制御情報のパックが判別された際の前記メインメモリ中の記憶位置を特定する値を検出して保持する手段を設ける
ことを特徴とする再生装置。
【請求項７】  請求項６記載の再生装置において、
前記メインメモリ中の記憶位置を特定する値を検出して保持する手段は、前記入力されるストリームのパックの数をカウントする手段と、前記パックカウント値を保持するバッファとを有する
ことを特徴とする再生装置。
【請求項８】  請求項７記載の再生装置において、
前記メインメモリ中の記憶位置のアドレスを前記バッファに保持されたパックカウント値からの演算により算出する
ことを特徴とする再生装置。
【請求項９】  請求項６記載の再生装置において、
前記ストリーム中の特定のパターンにより前記制御情報のパックを判別する手段は、前記ストリーム中の制御情報のパックに設けられるｓｙｓｔｅｍ  ｈｅａｄｅｒ  ｓｔａｒｔ  ｃｏｄｅ、ｐａｃｋｅｔ  ｓｔａｒｔ  ｃｏｄｅ  ｐｒｅｆｉｘ、ｓｔｒｅａｍ  ｉｄ、ｓｕｂ  ｓｔｒｅａｍ  ｉｄの全ての値を検出する手段を含む
ことを特徴とする再生装置。
【請求項１０】  コンテンツ情報のパックと共に制御情報のパックが単一のストリームで記録された記録媒体を再生する再生装置における再生方法であって、
前記ストリーム中の特定のパターンにより前記制御情報のパックを判別し、
前記ストリームをそのままメインメモリに記憶させると共に、
前記制御情報のパックが判別された際の前記メインメモリ中の記憶位置を特定する値を検出して保持する
ことを特徴とする再生方法。
【手続補正２】
【補正対象書類名】明細書
【補正対象項目名】００６６
【補正方法】削除
【補正の内容】
【手続補正３】
【補正対象書類名】明細書
【補正対象項目名】００６７
【補正方法】削除
【補正の内容】
【手続補正４】
【補正対象書類名】明細書
【補正対象項目名】００６８
【補正方法】変更
【補正の内容】
【００６８】
請求項４の発明によれば、ストリーム中の特定のパターンにより制御情報のパックを判別する手段は、ストリーム中の制御情報のパックに設けられるｓｙｓｔｅｍ  ｈｅａｄｅｒ  ｓｔａｒｔ  ｃｏｄｅ、ｐａｃｋｅｔ  ｓｔａｒｔ  ｃｏｄｅ  ｐｒｅｆｉｘ、ｓｔｒｅａｍ  ｉｄ、ｓｕｂ  ｓｔｒｅａｍ  ｉｄの全ての値を検出する手段を含むことによって、簡単な構成でストリーム中の制御情報のパックの判別を行うことができるものである。
【手続補正５】
【補正対象書類名】明細書
【補正対象項目名】００６９
【補正方法】変更
【補正の内容】
【００６９】
さらに請求項５の発明によれば、ストリーム中の特定のパターンにより制御情報のパックを判別し、ストリームをそのままメインメモリに記憶させると共に、制御情報のパックが判別された際のメインメモリ中の記憶位置を特定する値を検出して保持するようにしたことによって、制御情報のパックの解析を任意のタイミングで行うことができると共に、新たに入力された制御情報のパックの情報も保持して解析することができるものである。
【手続補正６】
【補正対象書類名】明細書
【補正対象項目名】００７０
【補正方法】削除
【補正の内容】
【手続補正７】
【補正対象書類名】明細書
【補正対象項目名】００７１
【補正方法】削除
【補正の内容】
【手続補正８】
【補正対象書類名】明細書
【補正対象項目名】００７２
【補正方法】削除
【補正の内容】
【手続補正９】
【補正対象書類名】明細書
【補正対象項目名】００７３
【補正方法】削除
【補正の内容】
【手続補正１０】
【補正対象書類名】明細書
【補正対象項目名】００７４
【補正方法】削除
【補正の内容】
【手続補正１１】
【補正対象書類名】明細書
【補正対象項目名】００７５
【補正方法】変更
【補正の内容】
【００７５】
さらに請求項６の発明によれば、ストリーム中の特定のパターンにより制御情報のパックを判別し、ストリームをそのままメインメモリに記憶させると共に、制御情報のパックが判別された際のメインメモリ中の記憶位置を特定する値を検出して保持するようにしたことによって、制御情報のパックの解析を任意のタイミングで行うことができると共に、新たに入力された制御情報のパックの情報も保持して解析することができるものである。
【手続補正１２】
【補正対象書類名】明細書
【補正対象項目名】００７６
【補正方法】変更
【補正の内容】
【００７６】
また、請求項７の発明によれば、メインメモリ中の記憶位置を特定する値を検出して保持する手段は、入力されるストリームのパックの数をカウントする手段と、パックカウント値を保持するバッファとを有することによって、少ない記憶容量でメインメモリ中の記憶位置を特定することができるものである。
【手続補正１３】
【補正対象書類名】明細書
【補正対象項目名】００７７
【補正方法】変更
【補正の内容】
【００７７】
請求項８の発明によれば、メインメモリ中の記憶位置のアドレスをバッファに保持されたパックカウント値からの演算により算出することによって、簡単な演算でメインメモリ中の記憶位置を特定することができるものである。
【手続補正１４】
【補正対象書類名】明細書
【補正対象項目名】００７８
【補正方法】削除
【補正の内容】
【手続補正１５】
【補正対象書類名】明細書
【補正対象項目名】００７９
【補正方法】削除
【補正の内容】
【手続補正１６】
【補正対象書類名】明細書
【補正対象項目名】００８０
【補正方法】変更
【補正の内容】
【００８０】
請求項９の発明によれば、ストリーム中の特定のパターンにより制御情報のパックを判別する手段は、ストリーム中の制御情報のパックに設けられるｓｙｓｔｅｍ  ｈｅａｄｅｒ  ｓｔａｒｔ  ｃｏｄｅ、ｐａｃｋｅｔ  ｓｔａｒｔ  ｃｏｄｅ  ｐｒｅｆｉｘ、ｓｔｒｅａｍ  ｉｄ、ｓｕｂ  ｓｔｒｅａｍ  ｉｄの全ての値を検出する手段を含むことによって、簡単な構成でストリーム中の制御情報のパックの判別を行うことができるものである。
【手続補正１７】
【補正対象書類名】明細書
【補正対象項目名】００８１
【補正方法】変更
【補正の内容】
【００８１】
さらに請求項１０の発明によれば、ストリーム中の特定のパターンにより制御情報のパックを判別し、ストリームをそのままメインメモリに記憶させると共に、制御情報のパックが判別された際のメインメモリ中の記憶位置を特定する値を検出して保持するようにしたことによって、制御情報のパックの解析を任意のタイミングで行うことができると共に、新たに入力された制御情報のパックの情報も保持して解析することができるものである。
【手続補正１８】
【補正対象書類名】明細書
【補正対象項目名】００８２
【補正方法】削除
【補正の内容】
【手続補正１９】
【補正対象書類名】明細書
【補正対象項目名】００８３
【補正方法】削除
【補正の内容】
【手続補正２０】
【補正対象書類名】明細書
【補正対象項目名】００８４
【補正方法】削除
【補正の内容】
【手続補正２１】
【補正対象書類名】明細書
【補正対象項目名】００８５
【補正方法】削除
【補正の内容】
【手続補正２２】
【補正対象書類名】明細書
【補正対象項目名】００８６
【補正方法】削除
【補正の内容】